(57)【特許請求の範囲】
【請求項１】
段ボールシートの進行方向に沿って該段ボールシートを切断する段ボールシート用切断装置であって、
該段ボールシートの一面側から回転しながら食い込んで該段ボールシートを切断する第１の円板型刃物と、
該段ボールシートの他面側から回転しながら食い込んで該段ボールシートを切断する第２の円板型刃物と、
該段ボールシートを挟んで該第１の円板型刃物の切断部に対向して配置され、該段ボールシートを該第１の円板型刃物へ向けて押さえる第１の押さえ手段と、
該段ボールシートを挟んで該第２の円板型刃物の切断部に対向して配置され、該段ボールシートを該第２の円板型刃物へ向けて押さえる第２の押さえ手段とをそなえ、
該第１の円板型刃物は、その外周刃先部分が該段ボールシートの前記一面側から前記他面側へ突き通ることなく該段ボールシートをその厚さ方向について部分的に切断するように配置されるとともに、
該第２の円板型刃物は、その外周刃先部分が該段ボールシートの前記他面側から前記一面側へ突き通ることなく該第１の円板型刃物により切り残された部分を切断するように配置され、
該第１の押さえ手段と該第１の円板型刃物との間隔、及び、該第２の押さえ手段と該第２の円板型刃物との間隔は調整可能に構成され、
該第１の押さえ手段及び該第２の押さえ手段の少なくとも何れかは、ロッドを伸縮動作させる駆動機構の該ロッドにレバーを介して連結された押さえロールで構成され、
該駆動機構が該ロッドを伸縮動作させることで、該押さえロールと該第１の円板型刃物又は該第２の円板型刃物との間隔が調整されるとともに、該レバーに形成された突出部と装置本体に取り付けられたストッパとが当接することでも、該押さえロールと該第１の円板型刃物又は該第２の円板型刃物との間隔が調整される
ことを特徴とする、段ボールシート用切断装置。
【請求項２】
該第１の円板型刃物は、その切断の直前に貼着されたライナ側から該段ボールシートを切断するように配置されている
ことを特徴とする、請求項１記載の段ボールシート用切断装置。
【請求項３】
段ボールシートの進行方向に沿って該段ボールシートを切断する段ボールシートの切断方法であって、
該段ボールシートを挟んで第１の円板型刃物の切断部に対向して配置された第１の押さえ手段によって、該段ボールシートを該第１の円板型刃物へ向けて押さえながら、該第１の円板型刃物によって、その外周刃先部分が該段ボールシートの一面側から他面側へ突き通ることなく、該段ボールシートをその厚さ方向について部分的に切断する第１工程と、
該段ボールシートを挟んで第２の円板型刃物の切断部に対向して配置された第２の押さえ手段によって、該段ボールシートを該第２の円板型刃物へ向けて押さえながら、該第２の円板型刃物によって、その外周刃先部分が該段ボールシートの前記他面側から前記一面側へ突き通ることなく、該第１の円板型刃物により切り残された部分を切断する第２工程とを含み、
該第１の押さえ手段及び該第２の押さえ手段の少なくとも何れかは、ロッドを伸縮動作させる駆動機構の該ロッドにレバーを介して連結された押さえロールで構成され、
該第１の押さえ手段と該第１の円板型刃物との間隔、及び、該第２の押さえ手段と該第２の円板型刃物との間隔を調整し、特に、該ロッドを伸縮動作させることで該押さえロールと該第１の円板型刃物又は該第２の円板型刃物との間隔を調整するとともに、該レバーに形成された突出部をストッパに当接させることでも、該押さえロールと該第１の円板型刃物又は該第２の円板型刃物との間隔を調整する
ことを特徴とする、段ボールシートの切断方法。
【請求項４】
該第１の円板型刃物は、該第１工程の直前工程にて貼着されたライナ側から該段ボールシートを切断する
ことを特徴とする、請求項３記載の段ボールシートの切断方法。
【発明の詳細な説明】
【０００１】
【発明の属する技術分野】
本発明は、両面段ボールシートを製造するコルゲートマシンに用いて好適の段ボールシート用切断装置及び段ボールシートの切断方法に関し、特に、両面段ボールシートをその進行方向（搬送方向，流れ方向）に沿って切断するスリッタ装置として用いられる、段ボールシート用切断装置及び段ボールシートの切断方法に関する。
【０００２】
【従来の技術】
まず、一般的なコルゲートマシンの構成について、図４を参照しながら説明する。図４は、一般的なコルゲートマシンの概略構成を模式的に示す側面図である。
この図４に示すように、一般的なコルゲートマシンは、シングルフェーサ９，グルーマシン１３，ダブルフェーサ２，スリッタスコアラ１，カットオフ１４およびシート積み上げ装置（図示省略）等により構成されている。
【０００３】
シングルフェーサ９は、互いに噛み合った上段ロール１５と下段ロール１６との間隙を回転移送されることによって波形状に段繰りされた芯紙１２の山形段頂部に糊付けロール１７を介して糊を塗布した後、他経路を通って送り込まれた裏ライナ１１と合流させ、所定の熱とを付加することによって片面段ボールシート１０を形成する装置である。
【０００４】
また、シングルフェーサ９において連続的に製造された片面段ボールシート１０は、次工程のグルーマシン１３へ送り込まれ、芯紙１２の山形段頂部に糊付けロール１８を介して糊を塗布された後、ダブルフェーサ２へ移送され、このダブルフェーサ２において、下面側から送り込まれた表ライナ５と合流し、所定の熱と押圧力とを付加された状態で移送されて両面段ボールシート３となる。
【０００５】
このようにしてダブルフェーサ２において連続的に製造された両面段ボールシート３は、次工程のスリッタスコアラ１に送り込まれる。このスリッタスコアラ１は、両面段ボールシート３の横幅方向所定位置へ移動設定できるように構成した複数組の罫線ロール１９a,１９bおよびスリッタナイフ（円板型刃物）４を有し、ダブルフェーサ２から連続的に給送されてくる両面段ボールシート３に対して、シート進行方向（流れ方向）に沿った罫入れ加工およびスリッティング加工を施すように構成されている。
【０００６】
続いて、スリッタスコアラ１において所定横幅に裁断された両面段ボールシート３は、次のカットオフ１４で所定長さ毎に切断されて１枚ずつの独立した製品シート２０となり、最終工程であるシート積み上げ装置において積み重ねられ、所定枚数毎に束ねられてから搬出される。
なお、図４において、符号Ｆ.Ｌはコルゲートマシンを設置された床面を示している。
【０００７】
次に、上述したコルゲートマシンにおけるスリッタスコアラ１に装備された従来の段ボールシート用切断装置について、図５を参照しながら説明する。図５は、従来の段ボールシート用切断装置の要部構成を示す側面図である。
この図５に示すように、従来の切断装置は、回転する円板型刃物（スリッタナイフ）４の刃先先端部を、順次給送されてくる両面段ボールシート３の表面へ食い込ませ、その両面段ボールシート３の進行方向に沿って切断を行なうもので、走行する両面段ボールシート３の下側に位置してシート横幅方向全域に亘り植毛した板状ブラシ８を設け、この板状ブラシ８により両面段ボールシート３を下方から支持させるとともに、両面段ボールシート３の上側に位置する円板型刃物４の周速度をシート搬送速度に対し所定の速度に設定して切断を行なうように構成されている。なお、円板型刃物４よりも下流側には、両面段ボールシート３を下面側から支持しながら案内するシートガイド６がそなえられている。
【０００８】
このような構成により、図５に示す従来の切断装置では、両面段ボールシート３は、シートガイド６および板状ブラシ８に支持されながら図５中の矢印の方向に進行し、両面段ボールシート３の上方に配置された円板型刃物４の刃先が、板状ブラシ８で支えられた両面段ボールシート３を突き通りその反対側に出ることにより、進行方向（流れ方向）に切断される。
【０００９】
しかし、上述のような切断装置により両面段ボールシート３の切断を行なった場合、構造上切断に伴う円板型刃物４の押し付け力は、被切断材である両面段ボールシート３の上面から下面側へ、つまり後工程で貼着した表ライナ５を剥離させる方向へ作用することになる。
また、表ライナ５は、スリッタスコアラ１の直前工程であるダブルフェーサ２において片面段ボールシート１０へ貼り合わせたもので、貼り合わせ後の経過時間も短く、糊が不充分な乾燥状態にて切断されることになり、特に円板型刃物４の切れ味が劣化してきたような場合には、図６に示すごとく、切断面に近接した部分が剥離してしまうおそれがあった。
【００１０】
このような剥離が生じると、両面段ボールシート３の切り口の見栄えが悪くなるだけでなく、後工程の製函機などで給紙する際、その剥離部分がジャムアップの原因となったりする。
なお、切断時には裏ライナ１１が円板型刃物４に押圧されて塑性変形する（曲がる）ため、図６に示すごとく、裏ライナ１１に“かえり”が発生する。図６に示す裏ライナ１１の“かえり”は、両面段ボールシート３の内側を向いて突出しているため、見栄えの悪化やジャムアップの要因になるおそれは無いものの、この“かえり”が段ボールシート３の外側に突出すると、前述した剥離の場合と同様の悪影響がでることになる。
【００１１】
ところで、上述したような表ライナ５の剥離の発生をできるだけ抑制すべく、種々の提案がなされている。例えば図７は、特開平７−７５９９５号公報に開示された段ボールシート用切断装置の要部構成を示す側面図である。
この図７に示すように、上記公報に開示された切断装置は、円板型刃物４を、両面段ボールシート３の下側に配置し、この両面段ボールシート３の表ライナ５側（下側）からシート表面へ食い込ませ、進行方向に沿って切断を行なうように構成されている。
【００１２】
また、円板型刃物４の前後には、走行する両面段ボールシート３を下面側から支持するシートガイド６，６が配置されるほか、両面段ボールシート３の上方には、切断動作に伴う円板型刃物４の押し上げ力に対抗して両面段ボールシート３の上方への逃げを規制すべく、シート横幅方向全域に亘って植毛した板状ブラシ８が、受け台７に取り付けられてそなえられている。
【００１３】
図７に示すごとく構成された従来の切断装置では、円板型刃物４を、直前工程で下側に表ライナ５が貼着された両面段ボールシート３の下面側から食い込ませる。つまり、シングルフェーサ９にて形成した片面段ボールシート１０に対して後工程にて貼着した表ライナ５側から切断していくことになり、円板型刃物４が表ライナ５を上方の片面段ボールシート１０側へ押し付けることになる。このため、時間的に不充分な乾燥状態でも表ライナ５を剥離させるといった不具合を解消することができる。
【００１４】
【発明が解決しようとする課題】
しかしながら、上述した図７に示す従来の段ボールシート用切断装置では、表ライナ５の剥離の発生を防止することはできるが、今度は、円板型刃物４が下方側から裏ライナ１１を上方（外側）へ向かって押圧することになり、図６では内側に向かって生じていた、裏ライナ１１の“かえり”が、上方つまり外側へ向かって生じることになる。
【００１５】
このような外側へ向かった裏ライナ１１の“かえり”は、前述した通り、上記剥離の場合と同様の悪影響を発生させる、即ち、このような“かえり”が生じると、両面段ボールシート３の切り口の見栄えが悪くなるだけでなく、後工程の製函機などで給紙する際、その“かえり”部分がジャムアップの原因となったりする。
【００１６】
本発明は、このような課題に鑑み創案されたもので、ライナのかえりが外向きに生じるのを確実に防止し、切り口の見栄えを良好なものにするとともに、後工程でのジャムアップの発生を確実に防止できるようにした、段ボールシート用切断装置及び段ボールシートの切断方法を提供することを目的とする。
【００１７】
【課題を解決するための手段】
上記目的を達成するために、本発明の段ボールシート用切断装置は、段ボールシートの進行方向に沿って該段ボールシートを切断するものであって、該段ボールシートの一面側から回転しながら食い込んで該段ボールシートを切断する第１の円板型刃物と、該段ボールシートの他面側から回転しながら食い込んで該段ボールシートを切断する第２の円板型刃物と、該段ボールシートを挟んで該第１の円板型刃物の切断部に対向して配置され、該段ボールシートを該第１の円板型刃物へ向けて押さえる第１の押さえ手段と、該段ボールシートを挟んで該第２の円板型刃物の切断部に対向して配置され、該段ボールシートを該第２の円板型刃物へ向けて押さえる第２の押さえ手段とをそなえ、該第１の円板型刃物は、その外周刃先部分が該段ボールシートの前記一面側から前記他面側へ突き通ることなく該段ボールシートをその厚さ方向について部分的に切断するように配置されるとともに、該第２の円板型刃物は、その外周刃先部分が該段ボールシートの前記他面側から前記一面側へ突き通ることなく該第１の円板型刃物により切り残された部分を切断するように配置されたことを特徴としている。
また、該第１の押さえ手段と該第１の円板型刃物との間隔、及び、該第２の押さえ手段と該第２の円板型刃物との間隔は調整可能に構成され、さらに、該第１の押さえ手段及び該第２の押さえ手段の少なくとも何れかは押さえロールで構成され、該押さえロールは、ロッドを伸縮動作させる駆動機構の該ロッドにレバーを介して連結され、該駆動機構が該ロッドを伸縮動作させることで、該第１の円板型刃物又は該第２の円板型刃物と該押さえロールとの間隔が調整されるとともに、該レバーに形成された突出部と装置本体に取り付けられたストッパとが当接することでも、該第１の円板型刃物又は該第２の円板型刃物と該押さえロールとの間隔が調整されることを特徴としている。
このとき、該第１の円板型刃物は、その切断の直前に貼着されたライナ側から該段ボールシートを切断するように配置されていることが好ましい。
【００１８】
また、本発明の段ボールシートの切断方法は、段ボールシートの進行方向に沿って該段ボールシートを切断するものであって、該段ボールシートを挟んで第１の円板型刃物の切断部に対向して配置された第１の押さえ手段によって、該段ボールシートを該第１の円板型刃物へ向けて押さえながら、該第１の円板型刃物によって、その外周刃先部分が該段ボールシートの一面側から他面側へ突き通ることなく、該段ボールシートをその厚さ方向について部分的に切断する第１工程と、該段ボールシートを挟んで第２の円板型刃物の切断部に対向して配置された第２の押さえ手段によって、該段ボールシートを該第２の円板型刃物へ向けて押さえながら、該第２の円板型刃物によって、その外周刃先部分が該段ボールシートの前記他面側から前記一面側へ突き通ることなく、該第１の円板型刃物により切り残された部分を切断する第２工程とを含むことを特徴としている。
また、該第１の押さえ手段及び該第２の押さえ手段の少なくとも何れかは、ロッドを伸縮動作させる駆動機構の該ロッドにレバーを介して連結された押さえロールで構成され、該第１の押さえ手段と該第１の円板型刃物との間隔、及び、該第２の押さえ手段と該第２の円板型刃物との間隔を調整し、特に、該ロッドを伸縮動作させることで、該第１の円板型刃物又は該第２の円板型刃物と該押さえロールとの間隔を調整するとともに、該レバーに形成された突出部をストッパに当接させることでも、該第１の円板型刃物又は該第２の円板型刃物と該押さえロールとの間隔を調整することを特徴としている。
このとき、該第１の円板型刃物は、該第１工程の直前工程にて貼着されたライナ側から該段ボールシートを切断することが好ましい。
【００１９】
【発明の実施の形態】
以下、図面を参照して本発明の実施の形態を説明する。
図１〜図３は本発明の一実施形態としての段ボールシート用切断装置を示すもので、図１はその要部構成を示す側面図、図２は図１のII−II断面図、図３はその変形例の要部構成を模式的に示す側面図である。
【００２０】
本実施形態の段ボールシート用切断装置も、図４に示すようなコルゲートマシンのスリッタスコアラ１に装備され、直前工程のダブルフェーサ２において連続的に製造され順次給送されてくる両面段ボールシート３を、その進行方向に沿って切断するためのものである。
そして、本実施形態の段ボールシート用切断装置は、図１に示すように、上流側円板型刃物（第１の円板型刃物，スリッタナイフ）２１，押さえロール（第１の押さえ手段）２２，下流側円板型刃物（第２の円板型刃物，スリッタナイフ）２６および受け板（第２の押さえ手段）２７をそなえて構成されている。
【００２１】
上流側円板型刃物２１および押さえロール２２は、両面段ボールシート３の進行方向上流に配置されている。
ここで、上流側円板型刃物２１は、図示しない駆動系からの駆動力を受けて回転駆動され、両面段ボールシート３の下面（一面，表ライナ５）側から回転しながら食い込んで両面段ボールシート３を切断するものである。また、上流側円板型刃物２１は、その外周刃先部分２１aが両面段ボールシート３の下面側から上面（他面，裏ライナ１１）側へ突き通ることなく、両面段ボールシート３をその厚さ方向へ部分的に（裏ライナ１１と芯紙１２の一部とを残した状態で）切断するように配置されている。
【００２２】
さらに、押さえロール２２は、両面段ボールシート３を挟んで上流側円板型刃物２１の切断部に対向して配置され、両面段ボールシート３を上流側円板型刃物２１へ向けて押さえるものである。
この押さえロール２２は、レバー２３を介してエアシリンダ２４のロッド２４aに連結されており、ロッド２４aの伸縮動作に応じて、上流側円板型刃物２１と押さえロール２２との間隔（押さえロール２２が両面段ボールシート３に作用させる押圧力）が調整されるようになっている。ロッド２４aを伸縮動作させる機構は、エアシリンダ２４に限定されるものではなく、油圧シリンダ等の他の駆動機構を用いてもよい。
【００２３】
レバー２３は、その中央部付近をピン２３aにより装置本体側（枠構造やケーシング等）に軸支され、このピン２３a回りに揺動可能になっている。また、レバー２３の一端側は、エアシリンダ２４のロッド２４aに対してピン２３bにより回転可能に連結されるとともに、レバー２３の他端側には、押さえロール２２がピン２３cにより回転自在に取り付けられている。従って、押さえロール２２は、エアシリンダ２４からのロッド２４aの突出量に応じてレバー２３を介し所定の位置に位置決めされた状態で、両面段ボールシート３の上面に接触し、両面段ボールシート３を上流側円板型刃物２１に向けて押さえながら、両面段ボールシート３の進行に伴い連れ回るようになっている。
【００２４】
さらに、レバー２３の他端側には、突出部２３dが形成されている。この突出部２３dが、装置本体側（枠構造やケーシング等）に取り付けられたストッパ２５と当接することにより、レバー２３のピン２３a回りの回転が規制され、押さえロール２２と上流側円板型刃物２１との間に適度の間隔が与えられるようになっている。ここでいう適度な間隔とは、上流側円盤型刃物２１が両面段ボールシート３の上面（裏ライナ１１）と芯紙１２の一部とを残して両面段ボールシート３を切断するような間隔である。なお、ストッパ２５の位置はエアシリンダ等の機構によって図１中の上下方向に調整できるようになっており、その位置に応じて押さえロール２２と上流側円板型刃物２１との間隔が調整可能になっている。
【００２５】
一方、下流側円板型刃物２６および受け板２７は、両面段ボールシート３の進行方向について、前述した上流側円板型刃物２１や押さえロール２２よりも下流側に配置されている。
ここで、下流側円板型刃物２６は、図示しない駆動系からの駆動力を受けて回転駆動され、両面段ボールシート３の上面側から回転しながら食い込んで両面段ボールシート３を切断するものである。この下流側円板型刃物２６と上流側円板型刃物２１とは、両面段ボールシート３の進行方向（流れ方向）に見て一直線上に並ぶように配置されている。つまり、下流側円板型刃物２６は、上流側円板型刃物２１による切断位置と同一またはほぼ同一の位置で両面段ボールシート３を切断するように配置されている。また、下流側円板型刃物２６は、図１および図２に示すごとく、その外周刃先部分２６aが両面段ボールシート３の上面側から下面側へ突き通ることなく、上流側円板型刃物２１で切り残された部分（表ライナ５と芯紙１２の一部）を切断するように配置されている。
【００２６】
さらに、受け板２７は、両面段ボールシート３を挟んで下流側円板型刃物２６の切断部に対向して配置され、両面段ボールシート３を下流側円板型刃物２６へ向けて押さえるものである。この受け板２７と下流側円板型刃物２６との間隔は、図２に示すごとく、下流側円板型刃物２６による切り込み深さが、上流側円板型刃物２１で切り残した部分を切断できる深さとなるように設定されている。
【００２７】
次に、上述のごとく構成された、本発明の一実施形態としての段ボールシート用切断装置の動作について説明する。
本実施形態の段ボールシート用切断装置では、ダブルフェーサ２から連続的に給送されてくる両面段ボールシート３が、まず、上流側円板型刃物２１と押さえロール２２との間に挟み込まれ、上流側円板型刃物２１の外周刃先部分２１aにより、表ライナ５側から進行方向に沿って切断される。
【００２８】
このとき、上流側円板型刃物２１と押さえロール２２との間隔は、ストッパ２５等により適当に設定され、両面段ボールシート３が押さえロール２２により上流側円板型刃物２１へ向けて押さえられているため、上流側円板型刃物２１により、外周刃先部分２１aを両面段ボールシート３の下面側から上面側へ突き通すことなく、裏ライナ１１と芯紙１２の一部とを残した状態で両面段ボールシート３が切断される。
【００２９】
また、本実施形態においても、上流側円板型刃物２１を、直前工程で下側に表ライナ５が貼着された両面段ボールシート３の下面側から食い込ませる。つまり、シングルフェーサ９にて形成した片面段ボールシート１０に対して後工程にて貼着した表ライナ５側から切断していくことになり、円板型刃物４が表ライナ５を上方の片面段ボールシート１０側へ押し付けることになる。このため、時間的に不充分な乾燥状態でも表ライナ５を芯紙１２から剥離させることがない。
【００３０】
上述のごとく裏ライナ１１と芯紙１２の一部とを残した状態で切断された両面段ボールシート３は、下流側円板型刃物２６の位置へ到達すると、今度は、下流側円板型刃物２６と受け板２７との間に挟み込まれ、下流側円板型刃物２６の外周刃先部分２６aにより、裏ライナ１１側から進行方向に沿って切断される。
このとき、下流側円板型刃物２６と受け板２７との間隔が前述のごとく設定されており、両面段ボールシート３が受け板２７により下流側円板型刃物２６へ向けて押さえられているため、下流側円板型刃物２６により、外周刃先部分２６aを両面段ボールシート３の上面側から下面側へ突き通すことなく、上流側円板型刃物２１で切り残された部分（表ライナ５と芯紙１２の一部）が切断されることになる。
【００３１】
このように、本発明の一実施形態としての段ボールシート用切断装置によれば、両面段ボールシート３の進行方向に適宜の間隔で２組の円板型刃物（スリッタナイフ）２１，２６を設け、その２組の円板型刃物２１，２６により、両面段ボールシート３をそれぞれ反対の方向から切断し、それぞれの円板型刃物２１，２６の外周刃先部分２１a,２６aが両面段ボールシート３を突き通って反対側に出ることがないように配置されており、且つ、上流側円板型刃物２１が切り残した部分を下流側円板型刃物２６が切断するように構成されているので、表ライナ５を芯紙１２から剥離させることがなくなるとともに、図２に示すように、表ライナ５および裏ライナ１１のかえりはいずれも両面段ボールシート３の内側に向かい、ライナ５，１１のかえりが、両面段ボールシート３の外側に、はみ出すことが無くなる。
【００３２】
従って、ライナ５，１１のかえりが外向きに生じるのを確実に防止し、切り口の見栄えを極めて良好なものにできるとともに、後工程でのジャムアップの発生を確実に防止することができるのである。
また、押さえロール２２や受け板２７をそなえることにより、両面段ボールシート３がそれぞれ上流側円板型刃物２１や下流側円板型刃物２６から逃げるのを防止できるので、両面段ボールシート３を確実に切断することができる。
【００３３】
なお、本発明は上述した実施形態に限定されるものではなく、本発明の趣旨を逸脱しない範囲で種々変形して実施することができる。
ところで、上述した実施形態では、上流側の第１の押さえ手段として押さえロール２２をそなえた場合について説明したが、この押さえロール２２に代え、図３に示すごとく、下流側の受け板２７と同様の構成の受け板２８をそなえることが考えられる。このとき、上流側円板型刃物２１と受け板２８との間隔は、上流側円板型刃物２１が両面段ボールシート３の上面（裏ライナ１１）と芯紙１２の一部とを残して両面段ボールシート３を切断するような間隔に設定される。このような受け板２８を用いても、上述した実施形態と同様の作用効果を得ることができる。
【００３４】
また、上述した実施形態では、下流側の第２の押さえ手段として受け板２７をそなえた場合について説明したが、この受け板２７に代え、上流側の押さえロール２２と同様の構成のものをそなえてもよく、この場合も、上述した実施形態と同様の作用効果を得ることができる。
さらに、上述した実施形態では、上流側円板型刃物２１を下方に、下流側円板型刃物２６を上方に配置した場合について説明したが、逆に、上流側円板型刃物を上方に、下流側円板型刃物を下方に配置してもよい。
【００３５】
またさらに、上述した実施形態では、被切断材である段ボールシートが両面段ボールシートである場合について説明したが、本発明は、これに限定されるものではなく、例えば複数層の芯紙を有する段ボールシート等の切断に際しても適用され、上述した実施形態と同様の作用効果を得ることができる。
【００３６】
【発明の効果】
以上詳述したように、本発明の段ボールシート用切断装置及び段ボールシートの切断方法によれば、２組の円板型刃物より、段ボールシートをそれぞれ反対の方向から切断し、それぞれの円板型刃物の外周刃先部分が段ボールシートを突き通って反対側に出ることがないように配置されており、且つ、第１の円板型刃物が切り残した部分を第２の円板型刃物が切断するように構成されているので、段ボールシートの両面におけるライナのかえりはいずれも段ボールシートの内側に向かうことになり、ライナのかえりが外側にはみ出すことが無くなる。
【００３７】
従って、ライナのかえりが外向きに生じるのを確実に防止し、切り口の見栄えを極めて良好なものにできるとともに、後工程でのジャムアップの発生を確実に防止することができるという効果がある。
また、第１及び第２の押さえ手段により、段ボールシートがそれぞれ第１及び第２の円板型刃物から逃げるのを防止できるので、段ボールシートを確実に切断することができる効果もある（請求項１，３）。
また、第１の円板型刃物が直前工程で貼着されたライナ側から段ボールシートを切断するので、そのライナを片面段ボールシート側へ押し付けることになり、時間的に不充分な乾燥状態でもそのライナを芯紙から剥離させることがないという効果がある（請求項２，４）。
【図面の簡単な説明】
【図１】本発明の一実施形態としての段ボールシート用切断装置の要部構成を示す側面図である。
【図２】図１のII-II断面図である。
【図３】本実施形態の段ボールシート用切断装置の変形例の要部構成を模式的に示す側面図である。
【図４】一般的なコルゲートマシンの概略構成を模式的に示す側面図である。
【図５】従来の段ボールシート用切断装置の要部構成を示す側面図である。
【図６】従来の切断装置によるシート切断部の状況を説明するための図である。
【図７】他の従来の段ボールシート用切断装置の要部構成を示す側面図である。
【符号の説明】
３  両面段ボールシート（段ボールシート）
５  表ライナ
１０  片面段ボールシート
１１  裏ライナ
１２  芯紙
２１  上流側円板型刃物（第１の円板型刃物）
２１a  外周刃先部分
２２  押さえロール（第１の押さえ手段）
２６  下流側円板型刃物（第２の円板型刃物）
２６a  外周刃先部分
２７  受け板（第２の押さえ手段）
２８  受け板（第１の押さえ手段）
【図１】
0004410359.tif 000002
【図２】
0004410359.tif 000003
【図３】
0004410359.tif 000004
【図４】
0004410359.tif 000005
【図５】
0004410359.tif 000006
【図６】
0004410359.tif 000007
【図７】
0004410359.tif 000008